(57)【要約】【課題】  本発明は、サイズの小さな擦り棒であっても安定的に使用することができて、必要に応じて十分な力で擦り作業ができる擦り鉢を提供することを目的とする。また、サイズの小さな擦り鉢は作業中に内容物が飛び出る虞があるので、本発明はそのような虞のない擦り鉢を提供することを目的とする。さらに、サイズの小さな擦り鉢が従来と同様に椀状に形成されている場合には、作業中に手でしっかり擦り鉢を固定することが困難である。そこで、本発明は作業中に手でしっかり固定できる擦り鉢を提供することを目的とする。【解決手段】  本体と支持部材を含み、使用時に擦り棒が鉛直方向に対して傾斜したときに該擦り棒を支持するために前記支持部材は擦り棒挿通用の孔を有している。【選択図】  図１
2005168558.tif 000002
【特許請求の範囲】
【請求項１】
本体と支持部材を含み、使用時に擦り棒が鉛直方向に対して傾斜したときに該擦り棒を支持するために前記支持部材は擦り棒挿通用の孔を有していることを特徴とする擦り鉢
【請求項２】
支持部材は、擦り棒挿通用の口部を有する開閉自在の蓋である請求項１記載の擦り鉢
【請求項３】
口部は蓋の表面から突出している請求項２記載の擦り鉢  
【請求項４】
口部は円形である請求項２又は請求項３記載の擦り鉢
【請求項５】
口部は蓋の上部に設けられている請求項２乃至請求項４記載の擦り鉢
【請求項６】
口部の内面は該口部の縁から内方に行くに従って徐々に狭まり再び広がる滑らかな曲面に形成されている請求項３乃至請求項５記載の擦り鉢
【請求項７】
口部の外面はくびれている請求項３乃至請求項６記載の擦り鉢
【請求項８】
本体を蓋で閉じるように結合したときに本体及び蓋の外面が全体的に球状をなす請求項２乃至請求項７記載の擦り鉢  
【請求項９】
前記球状表面の最大外径の部分で本体と蓋が結合されている請求項８記載の擦り鉢  
【請求項１０】
支持部材又は蓋は、本体に対し着脱可能である請求項１乃至請求項９記載の擦り鉢
【発明の詳細な説明】
【技術分野】
【０００１】
本発明は、主に家庭で食物を擦るために用いる擦り鉢、特に離乳食用の擦り鉢に関する。
【背景技術】
【０００２】
離乳食用の擦り鉢は通常の陶磁器の擦り鉢に比べて小さく形成され、擦り棒も通常のすりこ木に比べてかなり小さいサイズに形成されている。小さな擦り棒は紛失しやすいので擦り鉢に孔付きの把手を設け、その孔に擦り棒を挿入して支持することにより保管する場合の紛失を防止している（例えば、特許文献１参照。）。
【特許文献１】特開平１０−２１１０８８号公報
【発明の開示】
【発明が解決しようとする課題】
【０００３】
前記特許文献１のように保管中に擦り棒を支持する手段を備えた擦り鉢は提案されている。これは、特に離乳食用の擦り鉢に使用する擦り棒のサイズが小さいことによるものである。通常のすりこ木はサイズが大きいので使用するときは両手ですりこ木を握り擦り作業をする。したがって、すりこ木は両手でしっかり握られているから力強く安定した擦り作業をすることができる。しかし、離乳食用の擦り棒ではサイズが小さいので使用中に両手で擦り棒を握ることができない。擦り棒を指先で摘むように持って作業をするから安定せず、加える力もわずかなものにならざるを得ない。そこで、本発明はサイズの小さな擦り棒であっても安定的に使用することができて、必要に応じて十分な力で擦り作業ができる擦り鉢を提供することを目的とする。
【０００４】
また、サイズの小さな擦り鉢は作業中に内容物が飛び出る虞があるので、本発明はそのような虞のない擦り鉢を提供することを目的とする。さらに、サイズの小さな擦り鉢が従来と同様に椀状に形成されている場合には、作業中に手でしっかり擦り鉢を固定することが困難である。そこで、本発明は作業中に手でしっかり固定できる擦り鉢を提供することを目的とする。
【課題を解決するための手段】
【０００５】
本発明の請求項１は、本体と支持部材を含み、使用時に擦り棒が鉛直方向に対して傾斜したときに該擦り棒を支持するために前記支持部材は擦り棒挿通用の孔を有している構成である。
【０００６】
請求項２は、請求項１において支持部材が擦り棒挿通用の口部を有する開閉自在の蓋である構成である。請求項３は、その口部が蓋の表面から突出している構成であり、請求項４は、その口部が円形である要素が請求項２又は請求項３に限定的に付加された構成である。請求項５は、口部が蓋の上部に設けられている要素が請求項２乃至請求項４に限定的に付加された構成である。
【０００７】
請求項６は、口部の内面が該口部の縁から内方に行くに従って徐々に狭まり再び広がる滑らかな曲面に形成されている要素が請求項３乃至請求項５に限定的に付加された構成であり、請求項７は、口部の外面がくびれている要素が請求項３乃至請求項６に限定的に付加された構成である。
【０００８】
請求項８は、本体を蓋で閉じるように結合したときに本体及び蓋の外面が全体的に球状をなす要素が請求項２乃至請求項７に限定的に付加された構成であり、請求項９は、前記球状の外面の最大外径の部分で本体と蓋が結合されている要素が請求項８に限定的に付加された構成である。請求項１０は、支持部材又は蓋が本体に対し着脱可能である要素が請求項１乃至請求項９に限定的に付加された構成である。
【発明の効果】
【０００９】
請求項１は、使用時に擦り棒が鉛直方向に対して傾斜したときにその擦り棒を支持するために支持部材は擦り棒挿通用の孔を有している。したがって、指先で擦り棒の上部を摘んで円弧を描くように回せば、擦り棒は孔の縁に支持されながら傾斜した状態で全体的に回るので安定した擦り作業をすることができる。また、擦り棒を手で摘むのではなく、擦り棒の上端に手の平を宛がって回せば安定した作業ができると共に、強い力で内容物を押しながら作業することができる。
【００１０】
請求項２は、支持部材が擦り棒挿通用の口部を有する開閉自在の蓋である。したがって、作業中に内容物が擦り鉢から飛び出ることを防止することができる。請求項３は、口部が蓋の表面から突出している構成である。内容物が流動性のものであるときには蓋をしたままで口部を下に向けて取り出すことができるが、口部が突出しているときはその口部が注ぎ口として作用するので、受け皿などに確実に取り出すことができる。仮に、口部が突出せず単なる孔のときは、口部を下に向けたときに内容物が口部の周囲の表面に伝ってしまうのである。また、単なる孔から内容物を流し出すとその方向性が一定せず飛び散る虞があるのである。
【００１１】
請求項４は、口部が円形である。したがって、擦り棒を口部の縁に宛がって回しながら使用するときに、擦り棒を滑らかに回すことができる。請求項５は、口部が蓋の上部に設けられているので、擦り棒を回しながら内容物をほぼ均等に擦ることができる。
【００１２】
請求項６は、口部の内面がこの口部の縁から内方に行くに従って徐々に狭まり再び広がる滑らかな曲面に形成されている。したがって、擦り棒をやや立てた状態で使用しながら、それよりも傾斜させようとするときに、擦り棒は滑らかな内面に当たりながら円滑に傾斜度を変化させることができる。また、仮に蓋に突出した口部を設けず単に孔を設けたときは、孔の内縁の断面は急激にカーブしたＵ字形であるから、使用時に擦り棒を孔の内縁に宛がいながら傾斜させていくと擦り棒と孔の内縁との共通接線の傾斜角が急激に変化し、その結果擦り棒が急激に倒れるので安定した作業をすることができない。これに対して、請求項６は上述したような構成であるから、擦り棒を口部内面に宛がいながら傾斜させていくときに、擦り棒と口部内面の共通接線はその接触している口部内面の傾斜角である。この結果、使用時に擦り棒は口部内面の傾斜角に従って傾斜するから急激に大きな角度で倒れることがない。請求項７は、口部の外面がくびれている構成である。したがって、親指と人差し指をそのくびれた部分に宛がうことによって擦り鉢を確実に支持できる。
【００１３】
請求項８は、本体を蓋で閉じるように結合したときに本体及び蓋の外面が全体的に球状をなす構成である。したがって、前述したように親指と人差し指でくびれた部分を握ったときに、手の平が自然に擦り鉢のやや上方を持つので擦り鉢を押え付けるようにして安定的に作業ができる。また、擦り鉢を手ですっぽり包むように持つので擦り鉢をしっかり固定できる。
【００１４】
請求項９は、擦り鉢がその球状表面の最大外径の部分で本体と蓋が結合されている構成である。蓋を外して本体のみで使用するときに、最大外径より上で本体と蓋が結合されているときは本体の開放口が内向きに狭くなるので使用しにくく、内容物を受け皿に落とすときに中に残ってしまう。また、最大外径よりも下で結合するときは本体が小さくなって使用しずらい。請求項９の構成により、そのような欠点を除去することができる。請求項１０は、支持部材又は蓋が本体に対し着脱可能であるから、擦り鉢を洗浄するときに便利である。
【発明を実施するための最良の形態】
【００１５】
次に、本発明を実施するための最良の形態について説明する。図２に示すように擦り鉢１は本体２と蓋３とから成る。本体２は、ほぼ半球状の椀状に形成され内面である擦り面１２に多数の突起４が設けられている。突起４は食物を擦るためのものであるから、図３のように丸い小さな突起に限定されるものでなく、筋状の突部のように食物を擦ることができるものであれば形状は限定されない。本体２の下面には４つの半円板状の脚部５が一体に設けられている。また、本体２の上縁の外側には蓋３を螺合するためのネジ６が設けられている。
【００１６】
蓋３は本体２と同様にほぼ半球状に形成され、蓋３の頂部には上方に突出するように口部７が一体に設けられている。図４に示すように口部７は円形であってその口部外面８はくびれており、図３に示すように口部内面９もそのくびれに合わせたように口部の縁から内方に行くに従って徐々に狭まり再び広がる滑らかな曲面に形成されている。口部内面９をこのように形成したので使用中に擦り棒１０が口部７の縁に当たることはない。また、使用時に擦り棒を口部内面９に宛がいながら傾斜させていくときに、擦り棒と口部内面の共通接線はその接触している口部内面の傾斜角である。曲面に形成された口部内面の曲がり具合は急激でないから、使用時に擦り棒は口部内面の比較的緩やかな傾斜角に従って傾斜するから急激に大きな角度で倒れることがない。
【００１７】
口部７は蓋３の頂部に設けず、そこからややずれた位置に設けてもよい。口部７の大きさは図１に示すように擦り棒１０の全体を挿通できる大きさであって、蓋３を本体に結合した状態で擦り棒１０を口部７から出し入れできるが、本発明はこれに限定されることはなく、擦り棒１０の一方の端部が太くて擦り棒全体を挿通できなくても、その端部以外の部分が挿通できればよい。蓋３の下縁内面には本体２と結合するためのネジ部（図示せず。）が設けられている。口部７は図１に示すように擦り棒１０を挿通するためのものであり、上方に突出するものでなくてもよいことは勿論であって、蓋３に単に円形の孔を設けたものであってもよい。
【００１８】
蓋３は、内部の食物の状態が目視できるように透明又は半透明のプラスチックで形成することが好ましい。あるいは、直接的に食物を目視できるように蓋に覗き孔を設けるものであってもよい。蓋３は使用時にその口部７で擦り棒１０を支持するための支持部材であるから、本発明は支持部材として蓋３を使用することに限定されるものでなく、蓋として機能しない支持部材を用いてもよいことは勿論である。すなわち、擦り棒は、使用時に擦り棒１０の上端部を指で持つことによりその上端部が擦り棒１０の力点となり、擦り棒１０の先端部が擦り作用をなす作用点となるが、本発明はそのほかに力点と作用点の間に支点を設定したものである。これにより、擦り棒をその支点を中心として回しながら安定した擦り作業をすることができる。したがって、孔を有する蓋を用いなくても使用時に実質的に擦り棒に作用点を設定できるものであればどのような支持部材であっても差し支えない。
【００１９】
口部７の縁には８つの滑り止め突部１１が設けられている。この滑り止め突部１１は、本体２に螺合している蓋３を外す場合に口部７を指でつかんで蓋３を回すのであるが、そのときに指が滑り止め突部１１に当たることによって指の滑り止め機能を果し、容易に蓋３を回して外すことができるようにするためである。図２で示したように口部外面８がくびれており、したがって口部７が上方に向かって広がる形状であるときは、滑り止め突部１１が外方に張り出すのでその部分に指を掛けることにより蓋３を滑ることなく確実に回すことができる。滑り止め突部１１は図２に示すような花弁状のものに限定されないことは勿論であって、滑り止め効果のある突部であればいかなる形状であってもよい。例えば、口部７の縁を波状に形成したときの突部でもよく、もっと細かな凹凸を連続して形成したときの突部であってもよい。
【００２０】
擦り鉢１の全体形状は図１に示すようにやや扁平な球状であるが、これに限定されないことは勿論であって、例えば完全な球状であってもよい。すなわち、本発明で言う全体的に球状をなしている擦り鉢とは、完全な球状のほか扁平な球状などほぼ球状といえる形状を含むものである。結局、本体の擦り面１２がほぼ半球状あるいは円錐形の側面のごとき形状であれば、擦り鉢１の全体形状はいかなる形状であってもよく、動物やキャラクターを模したものであってもよい。擦り鉢１の全体形状を球状としたときに、図３に示すように本体２と蓋３の結合箇所を球状の最大外径の部分とすることが好ましい。蓋を外して本体のみで使用するときに、最大外径の部分より上方で本体と蓋が結合されているときは本体の開放口が内向きに狭くなるので使用しにくく、内容物を受け皿に落とすときに中に残ってしまうからである。また、最大外径よりも下で結合するときは本体が小さくなって使用しずらいからである。
【００２１】
図３に示すように擦り鉢１の最大外径をｗとし、口部７を除いた蓋３の高さをｈとしたときに、１／８ｗ≦ｈ≦１／２ｗ、すなわちｈはｗの８分の１以上で２分の１以下の式を満足するｈとｗの数値を採用することが好ましい。この実施の形態におけるｗは約９０ｍｍでありｈは約３１ｍｍである。しかしこの数値に限定されないことは勿論である。また、本体２の上面の中心から擦り面１２に引いた内径をＲとしたときに、いずれの位置のＲでも、１／４Ｒ≦ｈ≦Ｒ、すなわちｈはＲの４分の１以上でＲ以下の数値であることが好ましい。さらに、図５に示すように口部７の最も狭い内径をＤとし、使用時に擦り棒１０が口部７に当たる部分の直径をｄとしたときに、１．２ｄ＜Ｄ＜２．５ｄを満たす数値であることが好ましい。これによって擦り棒１０に適度な遊びが生じて操作し易いという効果が生じる。
【００２２】
擦り棒１０は木製であって図１又は図５に示すように中央部から下部に行くに従って徐々に太くなるように形成されている。擦り棒１０の上端にはプラスチック製のキャップ１７が取り付けられており、キャップ１７の上面に複数の滑り止め用の突条１８が設けられている。擦り棒１０の一つの使用方法は、通常のすりこ木のように両手の手の平で握るのではなく、片方の手の３本又は４本の指先でキャップ１７を摘み、擦り棒１０を口部内面９に宛がいながら回して食物を擦る。他の使用方法は、図５に示すように手の平２１の真中をキャップ１７に押し当てながら擦り棒１０を回す。この場合も擦り棒１０を口部内面９に宛がいながら行う。キャップの突条１８によって手の平２１が滑ることがない。手の平２１は一杯に開くよりも図５のようにややすぼめた方が円滑に行うことができる。
【００２３】
図４に示すように、本発明は本体２から蓋３を外し本体２に附属品の濾し網１３をのせることにより濾し器として使用することができる。濾し網１３は円形の縁部１４に網部１５を装着した構成であり、縁部の周壁１６を本体２の縁の外周に宛てがうようにのせて濾し網器として使用する。濾し網１３は網１５の目の粗さの異なる数種類のものを用意して用途に応じて使用することが便利である。さらに、濾し作業のためのヘラ１９を附属品として用意しておくことも便利である。このヘラ１９には滑り止め突条２０をいくつか設けておくと使用に便利である。濾し作業が終了したときはヘラ１９を網部１５の上に横たえ、さらに濾し網の縁部１４の上に蓋３をのせることにより、各部品をまとめておくことができると共に濾した食品に埃が付着することを防止できるので衛生的である。
【図面の簡単な説明】
【００２４】
【図１】本発明の使用状態を示す正面図
【図２】本体と蓋を分離した正面図
【図３】本発明の断面図
【図４】蓋を外し濾し網をのせた本体及びヘラの斜視図
【図５】使用状態を示す正面図
【符号の説明】
【００２５】
１  擦り鉢
２  本体
３  蓋
４  突起
５  脚部
６  ネジ部
７  口部
８  口部外面
９  口部内面
１０  擦り棒
１１  滑り止め突部
１２  擦り面
１３  濾し網
１４  縁部
１５  網部
１６  周壁
１７  キャップ
１８  突条
１９  ヘラ
２０  滑り止め突条
２１  手の平
【図１】
2005168558.tif 000003
【図２】
2005168558.tif 000004
【図３】
2005168558.tif 000005
【図４】
2005168558.tif 000006
【図５】
2005168558.tif 000007